(57)【特許請求の範囲】
【請求項１】
ネットワークを介して互いに接続された現金自動預金支払機と画像記録サーバとを備える振込カード発行システムであって、
前記現金自動預金支払機は、
入力された振込依頼人情報から一意に決まるセキュリティコードを生成するセキュリティコード生成手段と、
前記入力された振込依頼人情報および入力された振込先口座情報を含む振込取引情報と前記セキュリティコード生成手段によって生成されたセキュリティコードとを記録した振込カードを発行する振込カード発行手段と、
前記振込カード発行手段によって発行された振込カードが振込カードであることを表わすカード名称と前記振込取引情報とを前記振込カードに印字する振込カード印字手段と、
利用者の画像を取得する利用者画像取得手段と、
前記振込カード印字手段によって前記カード名称と前記振込取引情報とが印字された振込カードの画像を取得する振込カード画像取得手段と、
前記セキュリティコード生成手段によって生成されたセキュリティコード、前記利用者画像取得手段によって取得された利用者画像、および前記振込カード画像取得手段によって取得された振込カード画像を前記振込取引情報と対応付けて、前記画像記録サーバへ送信するデータ送信手段と、
を備え、
前記画像記録サーバは、
前記現金自動預金支払機から送信された前記セキュリティコード、前記利用者画像、前記振込カード画像、および前記振込取引情報を受信するデータ受信手段と、
前記データ受信手段によって受信した前記振込取引情報に対応付けた固有のコードを生成するカード固有コード生成手段と、
前記データ受信手段によって受信した前記セキュリティコード、前記利用者画像、前記振込カード画像、および前記振込取引情報と前記カード固有コード生成手段によって生成されたカード固有コードを対応付けてデータベースに登録するデータ登録手段と、
前記カード固有コード生成手段によって生成されたカード固有コードを前記現金自動預金支払機へ通知するカード固有コード通知手段と、
を備え、
前記現金自動預金支払機は、
前記画像記録サーバから通知された前記カード固有コードを受信するカード固有コード受信手段と、
前記カード固有コード受信手段によって受信した前記カード固有コードを前記振込カード発行手段によって発行された前記振込カードに記録するカード固有コード書き込み手段と、
をさらに備えることを特徴とする振込カード発行システム。
【請求項２】
前記現金自動預金支払機は、前記振込カードを用いた振込処理の実行に際して、前記振込カードに記録されたセキュリティコードと前記セキュリティコード生成手段によって生成されたセキュリティコードとが一致した場合に、振込処理を実行する、ことを特徴とする請求項１に記載の振込カード発行システム。
【請求項３】
前記セキュリティコード生成手段は、前記振込依頼人情報の口座情報に基づいてセキュリティコードを生成する、ことを特徴とする請求項２に記載の振込カード発行システム。
【請求項４】
前記現金自動預金支払機は、前記振込カードを用いた振込処理の実行に際して、前記振込カード画像取得手段によって読み取る振込カード画像と前記データベースに登録された振込カード画像とが一致した場合に、振込処理を実行する、ことを特徴とする請求項１に記載の振込カード発行システム。
【請求項５】
前記画像記録サーバは、前記現金自動預金支払機が前記振込カードを用いた振込処理の実行に際して振込処理を実行しない場合、前記振込カードに記録された振込依頼人情報に対応する利用者画像を特定する、ことを特徴とする請求項２乃至４の何れか１項に記載の振込カード発行システム。
【請求項６】
ネットワークを介して画像記録サーバに接続された現金自動預金支払機であって、
入力された振込依頼人情報から一意に決まるセキュリティコードを生成するセキュリティコード生成手段と、
前記入力された振込依頼人情報および入力された振込先口座情報を含む振込取引情報と前記セキュリティコード生成手段によって生成されたセキュリティコードとを記録した振込カードを発行する振込カード発行手段と、
前記振込カード発行手段によって発行された振込カードが振込カードであることを表わすカード名称と前記振込取引情報とを前記振込カードに印字する振込カード印字手段と、
利用者の画像を取得する利用者画像取得手段と、
前記振込カード印字手段によって前記カード名称と前記振込取引情報とが印字された振込カードの画像を取得する振込カード画像取得手段と、
前記セキュリティコード生成手段によって生成されたセキュリティコード、前記利用者画像取得手段によって取得された利用者画像、および前記振込カード画像取得手段によって取得された振込カード画像を前記振込取引情報と対応付けて、前記画像記録サーバへ送信するデータ送信手段と、
前記画像記録サーバによって前記振込取引情報と対応付けられたカード固有コードを前記画像記録サーバから受信するカード固有コード受信手段と、
前記カード固有コード受信手段によって受信した前記カード固有コードを前記振込カード発行手段によって発行された前記振込カードに記録するカード固有コード書き込み手段と、
を備えることを特徴とする現金自動預金支払機。
【請求項７】
ネットワークを介して請求項６に記載の現金自動預金支払機に接続された画像記録サーバであって、
前記現金自動預金支払機から送信された前記セキュリティコード、前記利用者画像、前記振込カード画像、および前記振込取引情報を受信するデータ受信手段と、
前記データ受信手段によって受信した前記振込取引情報に対応付けた固有のコードを生成するカード固有コード生成手段と、
前記データ受信手段によって受信した前記セキュリティコード、前記利用者画像、前記振込カード画像、および前記振込取引情報と前記カード固有コード生成手段によって生成されたカード固有コードを対応付けてデータベースに登録するデータ登録手段と、
前記カード固有コード生成手段によって生成されたカード固有コードを前記現金自動預金支払機へ通知するカード固有コード通知手段と、
を備えることを特徴とする画像記録サーバ。
【発明の詳細な説明】
【技術分野】
【０００１】
本発明は、現金自動預金支払機における振込取引を容易に実行することを可能にした振込カード発行システムに関するもので、特に、振込カードを悪用した詐欺行為を防止、又は詐欺行為を実行しようとしたものを特定するための振込カード発行システムに関する。
【背景技術】
【０００２】
従来、金融機関で使用されている現金自動預金支払機（ＡＴＭ：Automated Teller Machine）は、顧客が自分で操作することにより、現金の預金や支払いを行うことができる。この利便性を利用した犯罪が増えており、その犯罪を防止するためのシステムも開発されている（例えば、特許文献１、２参照。）。
【０００３】
また、現金自動預金支払機は、現金の預金や支払いだけでなく、振込なども可能となっており、多機能化が進められている。一方で、その振込機能を悪用した犯罪も増えており、昨今では、口座振り込み機能をターゲットとした犯罪が問題視されている。この犯罪は社会問題化しており、解決手段が求められている。例えば、現金自動預金支払機の振込取引機能を悪用した犯罪の手口として、携帯電話で利用者を誘導しながら所定の口座に預金を振り込ませるという方法が使われている。これは、現金自動預金支払機での振込を行ったことがない不慣れな利用者を対象とし、携帯電話等で誘導していく詐欺行為がある。昨今、携帯電話を使えないようにする技術が広まろうとしていることから手口が新たに変わっていくことが予想されるが、今後も無人機である現金自動預金支払機が詐欺犯罪に使われる可能性は非常に高い。
【０００４】
ところで、現金自動預金支払機での振込取引は、現金自動預金支払機での他の取引と同様に、利用者向けの表示画面とその画面に組み合わされたタッチパネルを入力手段として組み合わせ、画面の操作案内に従って画面上に表示されたボタンを押すことで取引を進めていく。ところが、振込取引では、その入力項目が多いため、その操作を簡略化する目的で、振込カードというものを用意することがある。この振込カードを使えば、振込カードにデータが記録されており、振込カードを現金自動預金支払機に挿入するだけで、画面から入力することなく、振込処理を行うことができる。すなわち、振込み依頼人である利用者の情報や振込先の口座情報を記録した振込カードを利用者に発行しておき、この振込カードを用いることによって、現金自動預金支払機での振込取引時の入力操作を簡略化している。
【０００５】
そこで、現金自動預金支払機の仕組みを使った詐欺行為の観点からどのような機能が悪用されるかを考えた場合、振込カードを使った詐欺も考えられる。例えば、現在想定されるのは、振込詐欺を行おうとした者が自分の口座に振り込むように設定した振込カードを作成し、ターゲット（被害者）に対してその振込カードを送りつけ、振込を行わせることが考えられる。上述したように、振込カードを用いると現金自動預金支払機へのデータ入力を簡略化できるため、振込カードの機能を利用すれば、携帯電話で誘導しなくても、被害者自身が現金を振り込んでしまうことが予想される。
【先行技術文献】
【特許文献】
【０００６】
【特許文献１】特開２００３−１９６７１０号公報
【特許文献２】特開２００７−３３４６８２号公報
【発明の概要】
【発明が解決しようとする課題】
【０００７】
しかしながら、上述のような振込カードを利用した振込み詐欺を防止するためのシステムは存在していない、という問題点があった。
本発明は、上述のような実状に鑑みたものであり、低コストかつ簡単な構成で、振込カードを悪用した詐欺行為を防止、又は詐欺行為を実行しようとしたものを特定するための振込カード発行システムを提供することを目的とする。
【課題を解決するための手段】
【０００８】
本発明は、上記課題を解決するため、下記のような構成を採用した。
すなわち、本発明の一態様によれば、本発明の振込カード発行システムは、ネットワークを介して互いに接続された現金自動預金支払機と画像記録サーバとを備える振込カード発行システムである。
【０００９】
そして、前記現金自動預金支払機が、入力された振込依頼人情報から一意に決まるセキュリティコードを生成するセキュリティコード生成手段と、前記入力された振込依頼人情報および入力された振込先口座情報を含む振込取引情報と前記セキュリティコード生成手段によって生成されたセキュリティコードとを記録した振込カードを発行する振込カード発行手段と、前記振込カード発行手段によって発行された振込カードが振込カードであることを表わすカード名称と前記振込取引情報とを前記振込カードに印字する振込カード印字手段と、利用者の画像を取得する利用者画像取得手段と、前記振込カード印字手段によって前記カード名称と前記振込取引情報とが印字された振込カードの画像を取得する振込カード画像取得手段と、前記セキュリティコード生成手段によって生成されたセキュリティコード、前記利用者画像取得手段によって取得された利用者画像、および前記振込カード画像取得手段によって取得された振込カード画像を前記振込取引情報と対応付けて、前記画像記録サーバへ送信するデータ送信手段とを備える。
【００１０】
また、前記画像記録サーバが、前記現金自動預金支払機から送信された前記セキュリティコード、前記利用者画像、前記振込カード画像、および前記振込取引情報を受信するデータ受信手段と、前記データ受信手段によって受信した前記振込取引情報に対応付けた固有のコードを生成するカード固有コード生成手段と、前記データ受信手段によって受信した前記セキュリティコード、前記利用者画像、前記振込カード画像、および前記振込取引情報と前記カード固有コード生成手段によって生成されたカード固有コードを対応付けてデータベースに登録するデータ登録手段と、前記カード固有コード生成手段によって生成されたカード固有コードを前記現金自動預金支払機へ通知するカード固有コード通知手段とを備える。
【００１１】
さらに、前記現金自動預金支払機は、前記画像記録サーバから通知された前記カード固有コードを受信するカード固有コード受信手段と、前記カード固有コード受信手段によって受信した前記カード固有コードを前記振込カード発行手段によって発行された前記振込カードに記録するカード固有コード書き込み手段とを備えることを特徴とする。
【００１２】
また、本発明の振込カード発行システムは、前記現金自動預金支払機が、前記振込カードを用いた振込処理の実行に際して、前記振込カードに記録されたセキュリティコードと前記セキュリティコード生成手段によって生成されたセキュリティコードとが一致した場合に、振込処理を実行することが望ましい。
【００１３】
また、本発明の振込カード発行システムは、前記セキュリティコード生成手段が、前記振込依頼人情報の口座情報に基づいてセキュリティコードを生成することが望ましい。
また、本発明の振込カード発行システムは、前記現金自動預金支払機が、前記振込カードを用いた振込処理の実行に際して、前記振込カード画像取得手段によって読み取る振込カード画像と前記データベースに登録された振込カード画像とが一致した場合に、振込処理を実行することが望ましい。
【００１４】
また、本発明の振込カード発行システムは、前記画像記録サーバが、前記現金自動預金支払機が前記振込カードを用いた振込処理の実行に際して振込処理を実行しない場合、前記振込カードに記録された振込依頼人情報に対応する利用者画像を特定することが望ましい。
【００１５】
また、本発明の一態様によれば、本発明の現金自動預金支払機は、ネットワークを介して画像記録サーバに接続された現金自動預金支払機であって、入力された振込依頼人情報から一意に決まるセキュリティコードを生成するセキュリティコード生成手段と、前記入力された振込依頼人情報および入力された振込先口座情報を含む振込取引情報と前記セキュリティコード生成手段によって生成されたセキュリティコードとを記録した振込カードを発行する振込カード発行手段と、前記振込カード発行手段によって発行された振込カードが振込カードであることを表わすカード名称と前記振込取引情報とを前記振込カードに印字する振込カード印字手段と、利用者の画像を取得する利用者画像取得手段と、前記振込カード印字手段によって前記カード名称と前記振込取引情報とが印字された振込カードの画像を取得する振込カード画像取得手段と、前記セキュリティコード生成手段によって生成されたセキュリティコード、前記利用者画像取得手段によって取得された利用者画像、および前記振込カード画像取得手段によって取得された振込カード画像を前記振込取引情報と対応付けて、前記画像記録サーバへ送信するデータ送信手段と、前記画像記録サーバによって前記振込取引情報と対応付けられたカード固有コードを前記画像記録サーバから受信するカード固有コード受信手段と、前記カード固有コード受信手段によって受信した前記カード固有コードを前記振込カード発行手段によって発行された前記振込カードに記録するカード固有コード書き込み手段とを備えることを特徴とする。
【００１６】
また、本発明の一態様によれば、本発明の画像記録サーバは、ネットワークを介して前記現金自動預金支払機に接続された画像記録サーバであって、前記現金自動預金支払機から送信された前記セキュリティコード、前記利用者画像、前記振込カード画像、および前記振込取引情報を受信するデータ受信手段と、前記データ受信手段によって受信した前記振込取引情報に対応付けた固有のコードを生成するカード固有コード生成手段と、前記データ受信手段によって受信した前記セキュリティコード、前記利用者画像、前記振込カード画像、および前記振込取引情報と前記カード固有コード生成手段によって生成されたカード固有コードを対応付けてデータベースに登録するデータ登録手段と、前記カード固有コード生成手段によって生成されたカード固有コードを前記現金自動預金支払機へ通知するカード固有コード通知手段とを備えることを特徴とする。
【発明の効果】
【００１７】
本発明は、非常に簡単な構成でコストもかけない仕組みでありながら、社会問題化している振込取引を悪用した詐欺行為を抑止することができる、という効果を奏する。
【図面の簡単な説明】
【００１８】
【図１】本発明を適用した現金自動預金支払機の外観を示す図である。
【図２】現金自動預金支払機のシステム構成例を示す図である。
【図３】カード／レシート処理ユニット６０の構成を示す図である。
【図４】第１の実施の形態における振込カード発行システムの概要を説明するための図である。
【図５】第１の実施の形態において現金自動預金支払機１が実行する振込カード発行処理の流れを示すフローチャートである。
【図６】第１の実施の形態における振込カード４の例を示す図である。
【図７】現金自動預金支払機１から画像記録サーバ３へ送信されるデータの例を示す図である。
【図８】第１の実施の形態において画像記録サーバ３が実行する利用者画像登録処理の流れを示すフローチャートである。
【図９】第１の実施の形態において現金自動預金支払機１が実行する振込カード利用処理の流れを示すフローチャートである。
【図１０】第１の実施の形態において画像記録サーバ３が実行するカード固有番号検索処理の流れを示すフローチャートである。
【図１１】第１の実施の形態において現金自動預金支払機１が実行する利用者登録問い合わせ処理の流れを示すフローチャートである。
【図１２】第１の実施の形態において画像記録サーバ３が実行する利用者画像検索処理の流れを示すフローチャートである。
【図１３】第２の実施の形態において現金自動預金支払機１が実行する振込カード発行処理の流れを示すフローチャートである。
【図１４】第２の実施の形態における振込カード４の例を示す図である。
【図１５】第２の実施の形態において現金自動預金支払機１が実行する振込カード利用処理の流れを示すフローチャートである。
【図１６】第３の実施の形態における振込カード発行システムの概要を説明するための図である。
【図１７】第３の実施の形態において現金自動預金支払機１が実行する振込カード発行処理の流れを示すフローチャートである。
【図１８】第３の実施の形態における振込カード画像６の例を示す図である。
【図１９】第３の実施の形態において画像記録サーバ３が実行する振込カード画像登録処理の流れを示すフローチャートである。
【図２０】第３の実施の形態において現金自動預金支払機１が実行する振込カード利用処理の流れを示すフローチャートである。
【図２１】第３の実施の形態において画像記録サーバ３が実行する振込カード画像検索処理の流れを示すフローチャートである。
【発明を実施するための形態】
【００１９】
以下、本発明の実施の形態について、図面を参照しながら詳細に説明する。
（第１乃至第３の実施の形態）
まず、第１乃至第３の実施の形態に共通する説明を行う。
【００２０】
図１は、本発明を適用した現金自動預金支払機の外観を示す図である。
図１において、現金自動預金支払機１は、通帳挿入部１０、カード挿入部１１、硬貨入出金部１２、紙幣入出金部１３、および表示入力部１４を備えている。
【００２１】
通帳挿入部１０は、通帳を受け付け、たとえば通帳の側面に添付されている磁気ストライブ部などに記憶されているデータの読み込み、通帳記入など一定の処理を行った後に通帳を返却する。カード挿入部１１は、キャッシュカードを受け付け、キャッシュカード内に記憶されているデータを読み込むなど一定の処理を行った後にキャッシュカードを返却する。また、カード挿入部１１は、後述する振込カード４の発行の際には、作成された振込カード４を排出し、振込カード４の利用の際には、振込カード４を受け付け、振込カード４内に記憶されているデータを読み込むなど一定の処理を行った後に振込カード４を返却する。
【００２２】
硬貨入出金部１２は、硬貨の受け付けおよび払い出しを行う。また、紙幣入出金部１３は、紙幣の受け付けおよび紙幣の払い出しを行う。
また、表示入力部１４は、取引内容メニューや取引結果の案内等を表示したり、処理要求などを受け付けたりする。
【００２３】
図２は、現金自動預金支払機のシステム構成例を示す図である。
図２において、ＡＴＭ制御部２０は、主制御部２１、メモリ２２、ハードディスク２３、ホスト通信制御部２４、画面表示部２５、キー入力部２６、カメラ２７、およびＩＯ制御部２８を備えている。そして、ＡＴＭ制御部２０は、ＩＯ（Input Output）制御部２８を介して、紙幣処理ユニット３０、硬貨処理ユニット４０、通帳処理ユニット５０、およびカード／レシート処理ユニット６０を制御することにより、現金自動預金支払機１の全体を制御する。
【００２４】
メモリ２２は、制御プログラムを実行するためのＲＡＭ（Random Access Memory）である。例えば、キー入力部２６からのキー入力信号やホスト通信制御部２４を介して受信されるホストコンピュータからの問い合わせ信号などに応じて前記制御プログラムが起動・実行されると、ＲＯＭに予め記憶されている制御プログラムに従ってＲＡＭを作業用メモリとして、現金自動預金支払機１の各部の動作が制御される。ハードディスク２３には、ＯＳ（Operating System）や現金自動預金支払機１を識別するための端末ＩＤ、現金自動預金支払機１の各機能を制御し実行するための制御プログラムなどが記憶されている。
【００２５】
ホスト通信制御部２４は、後述する画像記録サーバ３やホストコンピュータとの通信を制御している。画面表示部２５およびキー入力部２６は、利用者が現金自動預金支払機１を操作する際のインターフェイスである。すなわち、画面表示部２５は、取引メニューや取引に関する案内が表示される。また、キー入力部２６は、利用者が入力するためのキーがある。これら画面表示部２５およびキー入力部２６は、タッチパネルとして一体化している。
【００２６】
そして、カメラ２７は、たとえば現金自動預金支払機１に備え付けのＵＳＢカメラである。
また、紙幣処理ユニット３０は、口座入金や振り込みのときに紙幣入出金部１３から投入された紙幣の枚数を数え、紙幣の種類を判別する。また、紙幣の払い出しを行うときに、払い出すための紙幣を数える。硬貨処理ユニット４０は、口座入金や振り込みのときに硬貨入出金部１２から投入された硬貨の枚数を数え、硬貨の種類を判別する。また、硬貨の払い出しを行うときに、払い出すための硬貨を数える。また、通帳処理ユニット５０は、通帳挿入部１０から挿入された通帳の磁気ストライブ部に記憶されているデータを読み取る。また、通帳に対して通帳記入を行う。
【００２７】
カード／レシート処理ユニット６０は、キャッシュカード、振込カード４、およびレシートに関する処理を実行するユニットである。
図３は、カード／レシート処理ユニット６０の構成を示す図である。
【００２８】
図３において、カード／レシート処理ユニット６０は、ＣＰＵ（Central Processing Unit）６１、メモリ６２、上位通信制御部６３、内部センサ制御部６４、カード処理部６５、イメージセンサ６６、レシート印字部６７、および振込カード発行部６８を備える。
【００２９】
ＣＰＵ６１は、コンピュータとしてのカード／レシート処理ユニット６０を制御し、メモリ６２は、カード／レシート処理ユニット６０において実行する処理を実行するプログラムの他、カード／レシート処理ユニット６０の各機能を制御し実行するための制御プログラム及びテーブルデータなどを収納する。
【００３０】
上位通信制御部６３は、ＩＯ制御部２８を介してＡＴＭ制御部２０と通信する。
内部センサ制御部６４は、搬送路上のキャッシュカード、振込カード４またはレシートの通過や残留を監視している複数のセンサ情報を読取り、ＣＰＵ６１に通知する。
【００３１】
カード処理部６５は、カード挿入部１１から挿入されたキャッシュカードや振込カードに記録されている情報を読み取る。
イメージセンサ６６は、振込カード発行部６８によって発行された振込カードの表面を走査し、画像情報として取得する。
【００３２】
レシート印字部６７は、各種の取引を行った後の取引結果などをレシートに印字する。
そして、振込カード発行部６８は、振込取引に使用する振込カード４を発行する。この振込カード４の裏面の磁気ストライプ部には、振込先等の振込情報が書き込まれ、かつ表面の空白部分には、必要情報が印字されている。
【００３３】
次に、上述のような現金自動預金支払機１が実行する各実施の形態について説明する。
（第１の実施の形態）
図４は、第１の実施の形態における振込カード発行システムの概要を説明するための図である。
【００３４】
図４において、第１の実施の形態における振込カード発行システムは、上述したような現金自動預金支払機１（１Ａおよび１Ｂ）と画像記録サーバ３とがネットワーク２を介して互いに接続されている。なお、金融機関のセンタ等に設けられているホストコンピュータ（不図示）も画像記録サーバ３と同様にネットワーク２に接続している。
【００３５】
そして、本第１の実施の形態における振込カード発行システムは、現金自動預金支払機１Ａが振込カード４を発行した際、その発行操作を実行した利用者、すなわち最初の振込操作を実行した利用者を撮像し、キャッシュカードを利用した場合の利用者のキャッシュカード情報や振込カード４に関する情報と共に、その利用者画像５を画像記録サーバ３に送信して記録しておく。
【００３６】
これにより、現金自動預金支払機１Ｂで振込カード４が悪用された場合に、その振込カード４の発行時の情報検索を容易にする。そして、この振込カード４の発行を受けた利用者を突き止めることを可能にする。
【００３７】
振込カード４は、振込処理を実際に行い、そのときに入力した内容（振込先の金融機関や口座番号など）を記録媒体であるカードに記録するものである。そのため、振込カード４を発行するためには、振込取引を行う必要がある。
【００３８】
次に、振込カード４を発行するための処理の流れを説明する。
図５は、第１の実施の形態において現金自動預金支払機１が実行する振込カード発行処理の流れを示すフローチャートである。
【００３９】
まず、ステップＳ５０１において、利用者は、現金自動預金支払機１（例えば、図４中の現金自動預金支払機１Ａ）が備える表示入力部１４の画面表示部２５に表示された初期画面（取引選択画面）を見て、キー入力部２６を用いて「振込取引」を選択する。振込取引を選択するとキャッシュカードを用いた口座からの振込である「カード振込」か、現金による「現金振込」かの選択を行う画面が画面表示部２５に表示されるので、利用者は何れかを選択する。
【００４０】
「カード振込」が選択された場合は、画面表示部２５にキャッシュカードの挿入を促す画面を表示し、そして、ステップＳ５０２において、キャッシュカードがカード挿入部１１に挿入されると、ステップＳ５０３において、キャッシュカードの磁気ストライプ部から口座番号を含む振込依頼人情報を読み取り、更に利用者に暗証番号と振込金額を入力させる。
【００４１】
次に、ステップＳ５０４において、「振込取引処理」を実行する。この「振込取引処理」は、従来の現金自動預金支払機で実行される処理と同様の処理であり、概説すると以下の通りである。
【００４２】
すなわち、画面表示部２５に振込先の入力を促す案内画面が表示されるので、利用者は、その案内に従って振込先情報として振込先の金融機関名、支店名、口座番号、受取人の氏名等を順次入力する。これらの情報は、現金自動預金支払機１に設けられているハードディスク２３に記憶される。
【００４３】
上述の入力が終了すると、現金自動預金支払機１は、金融機関のセンタ等に設けられているホストコンピュータと通信を行い、利用者が入力した振込先情報と共に振込依頼人情報及び入力金額をホストコンピュータに送信して取引の可否を問い合わせる。ホストコンピュータから取引可能である旨の通知が現金自動預金支払機１に送られてくると、現金自動預金支払機１の画面表示部２５に振込依頼人情報や振込情報を表示し、利用者がその内容を確認して画面表示部２５に表示された確認キーを、キー入力部２６を用いて押下する。
【００４４】
そして、現金自動預金支払機１は再びホストコンピュータと通信を行って取引内容を通知し、ホストコンピュータで振込先への振込が行われる。
このような「振込取引処理」が終了した後、ステップＳ５０５において、次回の取引において振込先等の煩雑な入力操作を省略させるために、上述の「振込取引処理」の内容を登録した振込カード４が必要か否かを利用者に選択させる。
【００４５】
振込カード４が不要であることを利用者が選択した場合（ステップＳ５０５：Ｎｏ）は、ステップＳ５１２へ進む。他方、振込カード４が必要であることを選択した場合（ステップＳ５０５：Ｙｅｓ）は、ステップＳ５０６において、振込カード発行処理を行い、上述の「振込取引処理」の内容（振込カード発行情報）を登録した振込カード４を作成し、ステップＳ５０７において、その振込カード４の表面に所定の事項を印字する。
【００４６】
図６は、第１の実施の形態における振込カード４の例を示す図である。
図６に示したように、振込カード４の表面には、振込カードであることを示すカード名称、振込先の口座番号等が印字されている。
【００４７】
図５の説明に戻る。
ステップＳ５０６で振込カード４が作成され、ステップＳ５０７で振込先の口座番号等が印字された後、あるいは、これらの処理と相前後して、ステップＳ５０８において、振込カード４の発行を望んで振込取引を行った利用者、例えば利用者の顔を、現金自動預金支払機１が備えるカメラ２７で撮像して、利用者画像５を取得する。
【００４８】
図７は、現金自動預金支払機１から画像記録サーバ３へ送信されるデータの例を示す図である。
そして、図５のステップＳ５０９において、図７に示すように、ステップＳ５０６で振込カード４に登録した振込カード発行情報と、ステップＳ５０８で取得した利用者画像５を、互いに関連付けて金融機関のセンタ等に設けられている画像記録サーバ３へ送信する。
【００４９】
図８は、第１の実施の形態において画像記録サーバ３が実行する利用者画像登録処理の流れを示すフローチャートである。
画像記録サーバ３は、まず、ステップＳ８０１において、図５のステップＳ５０９で現金自動預金支払機１から送信された振込カード発行情報と利用者画像５を受信し、ステップＳ８０２において、これら振込カード発行情報と利用者画像５を画像記録サーバ３が備えるデータベースに登録する。
【００５０】
次に、ステップＳ８０３において、振込カード４を特定するために付与すべく、データベースに登録された振込カード発行情報に対応付けられた固有のコード、例えば固有の番号を生成し、ステップＳ８０１で受信した振込カード発行情報等を送信してきた現金自動預金支払機１へ通知（返信）する。それとともに、ステップＳ８０４において、このカード固有番号を振込カード発行情報と対応付けてデータベースに登録する。
【００５１】
図５の説明に戻る。
現金自動預金支払機１は、ステップＳ５１０において、図８のステップＳ８０３で画像記録サーバ３から送信されたカード固有番号を受信し、振込カード４の磁気ストライプ部に記録する。
【００５２】
そして、ステップＳ５１１において、振込カード４をカード挿入部１１から排出し、ステップＳ５１２において、キャッシュカードをカード挿入部１１から排出（返却）する。
次に、振込カード４を利用する際の処理の流れを説明する。
【００５３】
図９は、第１の実施の形態において現金自動預金支払機１が実行する振込カード利用処理の流れを示すフローチャートである。
図９を用いて説明する現金自動預金支払機１は、図４に示した現金自動預金支払機１Ｂに相当する。
【００５４】
まず、ステップＳ９０１において、利用者は、現金自動預金支払機１（１Ｂ）が備える表示入力部１４の画面表示部２５に表示された初期画面（取引選択画面）を見て、キー入力部２６を用いて「振込取引」を選択する。振込取引を選択するとキャッシュカードを用いた口座からの振込である「カード振込」か、現金による「現金振込」かの選択を行う画面が画面表示部２５に表示されるので、利用者は何れかを選択する。
【００５５】
「カード振込」が選択された場合は、画面表示部２５にキャッシュカードの挿入を促す画面を表示し、そして、ステップＳ９０２において、キャッシュカードがカード挿入部１１に挿入されると、ステップＳ９０３において、キャッシュカードの磁気ストライプ部から口座番号を含む振込依頼人情報を読み取り、更に利用者に暗証番号と振込金額を入力させる。
【００５６】
次に、ステップＳ９０４において、振込カード４を利用した振込みであるか否かを利用者に選択させる。
振込カード４を利用した振込みでない場合（ステップＳ９０４：Ｎｏ）は、通常の振込処理、例えば、図５に示したステップＳ５０４以降の処理を実行する。他方、振込カード４を利用した振込みの場合（ステップＳ９０４：Ｙｅｓ）は、画面表示部２５に振込カード４の挿入を促す画面を表示し、ステップＳ９０５において、振込カード４がカード挿入部１１に挿入されると、ステップＳ９０６において、振込カード４の磁気ストライプ部から振込カード発行情報とともにカード固有番号を読み取る。
【００５７】
そして、ステップＳ９０７において、ステップＳ９０６で読み取ったカード固有番号が画像記録サーバ３に登録されているか否かを問い合わせるため、カード固有番号を画像記録サーバ３へ送信する。
【００５８】
図１０は、第１の実施の形態において画像記録サーバ３が実行するカード固有番号検索処理の流れを示すフローチャートである。
画像記録サーバ３は、まず、ステップＳ１００１において、図９のステップＳ９０７で現金自動預金支払機１から送信されたカード固有番号を受信し、ステップＳ１００２において、そのカード固有番号がデータベースに登録されているか否かを検索する。
【００５９】
カード固有番号がデータベースに登録されていると判断した場合（ステップＳ１００３：Ｙｅｓ）は、ステップＳ１００４において、「カード登録あり」の判断結果を示し、登録されていないと判断した場合（ステップＳ１００３：Ｎｏ）は、ステップＳ１００５において、「該当無し」の判断結果を示す。そして、ステップＳ１００６において、ステップＳ１００４またはＳ１００５の何れかで示した検索結果を、問い合わせてきた現金自動預金支払機１（１Ｂ）へ返信する。
【００６０】
図９の説明に戻る。
現金自動預金支払機１は、ステップＳ９０８において、図１０のステップＳ１００６で画像記録サーバ３から送信された検索結果を受信し、その検索結果がデータベースに登録されていないことを示す結果であった場合、すなわち、図１０のステップＳ１００５で「該当無し」と示された検索結果であった場合（ステップＳ９０８：Ｎｏ）は、ステップＳ９０９において、ステップＳ９０５でカード挿入部１１に挿入された振込カード４は取り扱いができない旨を画面表示部２５に表示して、ステップＳ９１５へ進む。
【００６１】
他方、ステップＳ９０８で受信した検索結果がデータベースに登録されていることを示す結果であった場合、すなわち、図１０のステップＳ１００４で「カード登録あり」と示された検索結果であった場合（ステップＳ９０８：Ｙｅｓ）は、ステップＳ９１０において、振込カード４に登録されている振込先情報を画面表示部２５に表示する。そして、ステップＳ９１１において、利用者に振込金額を入力させる。
【００６２】
次に、ステップＳ９１０で表示した振込先情報およびステップＳ９１１で入力した振込金額が正しいか否かを確認させる旨を画面表示部２５に表示する。そして、何れかが正しくない場合（ステップＳ９１２：Ｎｏ）は、正しくない旨をキー入力部２６から指示することにより、ステップＳ９１３において、取引やり直しの案内を画面表示部２５に表示した上で、ステップＳ９１５へ進む。
【００６３】
他方、振込先情報および振込金額の何れもが正しい場合（ステップＳ９１２：Ｙｅｓ）は、ステップＳ９１４において、現金自動預金支払機１は、図５のステップＳ５０４と同様の「振込取引処理」を実行する。
【００６４】
そして、ステップＳ９１５において、振込カード４をカード挿入部１１から排出（返却）し、ステップＳ９１６において、キャッシュカードをカード挿入部１１から排出（返却）する。
【００６５】
これにより、金融機関のセンタ等に設けられている画像記録サーバ３に登録された振込カード４だけを振込取引処理に用いることができ、セキュリティレベルを確保することが可能となる。
【００６６】
次に、振込カードを用いた振込詐欺事件が発生した場合の処理について説明する。
何らかの情報により、例えば、後述する第２および第３の実施の形態が実行されたことにより、振込カードを用いた振込詐欺事件が発覚した場合、以下のようにして容疑者を特定できる可能性がある。
【００６７】
図１１は、第１の実施の形態において現金自動預金支払機１が実行する利用者登録問い合わせ処理の流れを示すフローチャートである。
まず、ステップＳ１１０１において、現金自動預金支払機１は、振込詐欺事件の対象となった取引内容、特に振込先の口座番号を利用者画像検索のキーとして、キー入力部２６から入力し、ステップＳ１１０２において、入力された口座番号を画像記録サーバ３に送信する。
【００６８】
図１２は、画像記録サーバ３において実行される利用者画像検索処理の流れを示すフローチャートである。
画像記録サーバ３は、まず、ステップＳ１２０１において、図１１のステップＳ１１０２で現金自動預金支払機１から送信された口座番号を受信し、ステップＳ１２０２において、その口座番号をキーにしてデータベースを検索する。
【００６９】
そして、ステップＳ１２０３において、検索のキーである口座番号がデータベースに存在するか否か、すなわち、振込詐欺事件に用いられた恐れのある振込カード４の情報がデータベースに有るか否かを判断し、有る場合（ステップＳ１２０３：Ｙｅｓ）は、ステップＳ１２０４において、検索された振込カード４に対応付けられた利用者画像５をデータベースから取り出し、ステップＳ１２０５において、画像記録サーバ３に送信する。
【００７０】
他方、検索のキーである口座番号がデータベースに存在しない場合（ステップＳ１２０３：Ｎｏ）は、ステップＳ１２０６において、該当する口座番号がデータベースには存在しなかったことを画像記録サーバ３に送信する。
【００７１】
図１１の説明に戻る。
ステップＳ１１０３において、図１２のステップＳ１２０５で画像記録サーバ３から送信された利用者画像５を受信する。そして、ステップＳ１１０４において、現金自動預金支払機１は、振込先の口座番号を確認し、その利用を不可にする。それと共に、この利用者画像５を警察等の捜査機関に提示し、また金融機関内の各支店に通達し、該当利用者による金融機関利用をストップさせることが可能となる。
以上が、本発明を適用した第１の実施の形態の説明である。
【００７２】
（第２の実施の形態）
次に、本発明を適用した第２の実施の形態について説明する。
本発明を適用した第２の実施の形態は、振込カード４を用いた振込取引において、振込カード４の発行時に特定のセキュリティコードを振込カード４に書き込んでおく。これにより、振込カード４を用いて振込処理を実行する際に、振込カード４の発行時に書き込んだ特定のセキュリティコードを入力することにより、振込カード４を用いる振込取引に伴うセキュリティを向上させることを目的とする。
【００７３】
ここで、特定のセキュリティコードとしては、（１）利用者によるキー入力、（２）例えば、振込取引を行う際にキャッシュカードから口座番号を自動的に読み取り、少なくともその口座番号の一部を用いる。
【００７４】
上述したように、振込カードは、利用者が特定の振込先に度々振り込むことを簡易化することを目的としたものである。最近では、現金自動預金支払機での高額な現金振込は出来ないため、金融機関の口座からの振込が中心となり、振込カードは、通常、キャッシュカードと一緒に使われている。
【００７５】
一方、振込カードを悪用した詐欺行為では、振込カードの発行処理で使われたキャッシュカードと、振込カードを使った振込処理時に併用するキャッシュカードとは、別のキャッシュカードが使用される。そこで、本発明を適用した第２の実施の形態は、他人が作った振込カードでは振込ができなくするものである。
【００７６】
図１３は、第２の実施の形態において現金自動預金支払機１が実行する振込カード発行処理の流れを示すフローチャートである。
まず、ステップＳ１３０１において、図５のステップＳ５０１と同様に、「振込取引」を選択し、「カード振込」か「現金振込」かの何れかを選択する。
【００７７】
「カード振込」が選択された場合は、画面表示部２５にキャッシュカードの挿入を促す画面を表示し、ステップＳ１３０２において、図５のステップＳ５０２と同様に、キャッシュカードがカード挿入部１１に挿入されると、ステップＳ１３０３において、図５のステップＳ５０３と同様に、キャッシュカードの磁気ストライプ部から口座番号を含む振込依頼人情報を読み取り、更に利用者に暗証番号と振込金額を入力させる。
【００７８】
次に、ステップＳ１３０４において、図５のステップＳ５０４と同様の「振込取引処理」を実行する。
そして、このような「振込取引処理」が終了した後、ステップＳ１３０５において、図５のステップＳ５０５と同様に、上述の「振込取引処理」の内容を登録した振込カード４が必要か否かを利用者に選択させる。
【００７９】
振込カード４が不要であることを利用者が選択した場合（ステップＳ１３０５：Ｎｏ）は、ステップＳ１３１１へ進む。他方、振込カード４が必要であることを選択した場合（ステップＳ１３０５：Ｙｅｓ）は、ステップＳ１３０６において、振込カード４に対して登録するためのセキュリティコードを入力させる。または、ステップＳ１３０３でキャッシュカードの磁気ストライプ部から読み取った口座番号のうち、所定の値をセキュリティコードとして決定する。
【００８０】
次に、ステップＳ１３０７において、ステップＳ５０６と同様に、振込カード発行処理を行い、上述の「振込取引処理」の内容（振込カード発行情報）を登録した振込カード４を作成し、ステップＳ１３０８において、その振込カード４の表面に所定の事項を印字する。そして、ステップＳ１３０９において、ステップＳ１３０７で振込カード発行情報を登録した振込カード４の磁気ストライプ部に、ステップＳ１３０６で決定したセキュリティコードを書き込む。
【００８１】
図１４は、第２の実施の形態における振込カード４の例を示す図である。
図１４に示したように、振込カード４の裏面の磁気ストライプ部には、セキュリティコードが登録され、表面には、振込先の口座番号等が印字されている。
【００８２】
図１３の説明に戻る。
現金自動預金支払機１は、ステップＳ１３１０において、振込カード４をカード挿入部１１から排出し、ステップＳ１３１１において、図５のステップＳ５１２と同様に、キャッシュカードをカード挿入部１１から排出（返却）する。
【００８３】
次に、振込カード４を利用する際の処理の流れを説明する。
図１５は、第２の実施の形態において現金自動預金支払機１が実行する振込カード利用処理の流れを示すフローチャートである。
【００８４】
まず、ステップＳ１５０１において、図９のステップＳ９０１と同様に、「振込取引」を選択し、「カード振込」か「現金振込」かの何れかを選択する。
「カード振込」が選択された場合は、画面表示部２５にキャッシュカードの挿入を促す画面を表示し、そして、ステップＳ１５０２において、図９のステップＳ９０２と同様に、キャッシュカードがカード挿入部１１に挿入されると、ステップＳ１５０３において、図９のステップＳ９０３と同様に、キャッシュカードの磁気ストライプ部から口座番号を含む振込依頼人情報を読み取り、更に利用者に暗証番号と振込金額を入力させる。
【００８５】
次に、ステップＳ１５０４において、振込カード４を利用した振込みであるか否かを利用者に選択させる。
振込カード４を利用した振込みでない場合（ステップＳ１５０４：Ｎｏ）は、通常の振込処理、例えば、図５に示したステップＳ５０４以降の処理を実行する。他方、振込カード４を利用した振込みの場合（ステップＳ１５０４：Ｙｅｓ）は、画面表示部２５に振込カード４の挿入を促す画面を表示し、ステップＳ１５０５において、振込カード４がカード挿入部１１に挿入されると、ステップＳ１５０６において、振込カード４の磁気ストライプ部から振込カード発行情報等のデータを読み取る。
【００８６】
そして、ステップＳ１５０７において、ステップＳ１５０６で読み取ったデータ中にセキュリティコードが含まれているか否かを判断する。セキュリティコードが含まれていなかった場合、すなわち、従来の現金自動預金支払機で作成した振込カードを用いた場合（ステップＳ１５０７：Ｎｏ）は、ステップＳ１５０８において、振込金額に制限をかける旨、例えば「振込金額は１０万円以下です」等のメッセージを画面表示部２５に表示して、振込金額に制限をかけた上で振込取引を行わせるため、ステップＳ１５１３へ進む。他方、セキュリティコードが含まれていた場合（ステップＳ１５０７：Ｙｅｓ）は、ステップＳ１５０９において、セキュリティコードを入力させる。または、ステップＳ１５０３でキャッシュカードの磁気ストライプ部から読み取った口座番号のうち、所定の値をセキュリティコードとして決定する。
【００８７】
次に、ステップＳ１５１０において、ステップＳ１５０６で読み込んだデータ中のセキュリティコードと、ステップＳ１５０９で決定されたセキュリティコードとが一致するか否かを判断する。
【００８８】
一致しなかった場合（ステップＳ１５１０：Ｎｏ）は、ステップＳ１５１１において、例えば「この振込カードは使えません」等のメッセージを画面表示部２５に表示して、ステップＳ１５１７へ進む。セキュリティコードが一致しないということは、振込カード４を発行した際の利用者と、振込カード４で振込取引を行おうとした利用者とが同一人物でないことを意味し、振込詐欺事件が発生した可能性が高くなる。
【００８９】
他方、２つのセキュリティコードが一致した場合（ステップＳ１５１０：Ｙｅｓ）は、ステップＳ１５１２において、振込カード４に登録されている振込先情報を画面表示部２５に表示する。そして、ステップＳ１５１３において、利用者に振込金額を入力させる。
【００９０】
次に、ステップＳ１５１２で表示した振込先情報およびステップＳ１５１３で入力した振込金額が正しいか否かを確認させる旨を画面表示部２５に表示する。そして、何れかが正しくない場合（ステップＳ１５１４：Ｎｏ）は、正しくない旨をキー入力部２６から指示することにより、ステップＳ１５１５において、取引やり直しの案内を画面表示部２５に表示した上で、ステップＳ１５１７へ進む。
【００９１】
他方、振込先情報および振込金額の何れもが正しい場合（ステップＳ１５１４：Ｙｅｓ）は、ステップＳ１５１６において、現金自動預金支払機１は、図５のステップＳ５０４と同様の「振込取引処理」を実行する。
【００９２】
そして、ステップＳ１５１７において、振込カード４をカード挿入部１１から排出（返却）し、ステップＳ１５１８において、キャッシュカードをカード挿入部１１から排出（返却）する。
【００９３】
これにより、振込カード４を作成した際に用いたキャッシュカードではないキャッシュカードで、現金自動預金支払機１から振込取引を行う場合には、高額の振込取引が出来ないようにすることができる。
【００９４】
なお、セキュリティコードとしては、振込カード４の発行時に利用者に悟られることなくデータ設定できるという点で、口座番号などのデータ（もしくは、そのデータの一部や、さらに暗号化して使うなど）を自動的に使う方が、防犯効果は高い。
【００９５】
以上が、本発明を適用した第２の実施の形態の説明である。
（第３の実施の形態）
次に、本発明を適用した第３の実施の形態について説明する。
【００９６】
本発明を適用した第３の実施の形態は、振込カード４を用いた振込取引において、現金自動預金支払機１が備えるイメージセンサ６６によって、発行された振込カード４の表面の画像を記録する。そして、この画像は、ネットワーク２を経由して金融機関のセンタ等に設けられている画像記録サーバ３へ送られ、データベースに記録する。
【００９７】
そして、この振込カード４を利用する際には、イメージセンサ６６を使用して振込カード４の印字内容を取得し、振込カード４の発行の際に画像記録サーバ３のデータベースに登録された画像との整合を取り、明らかに改ざんが認められた場合には、その振込取引を止めることを特徴とする。振込カード４を使用した詐欺行為では、利用者を騙すために、振込カード４に対して何らかの改ざん、すなわち、表示内容の書き換えなどが行われる。本第３の実施の形態では、この改ざんを検知することで詐欺を未然に防ぐものである。
【００９８】
図１６は、第３の実施の形態における振込カード発行システムの概要を説明するための図である。
図１６において、第３の実施の形態における振込カード発行システムは、図４に示した第１の実施の形態における振込カード発行システムと同様に、現金自動預金支払機１（１Ａおよび１Ｂ）と画像記録サーバ３とがネットワーク２を介して互いに接続されている。なお、金融機関のセンタ等に設けられているホストコンピュータ（不図示）も画像記録サーバ３と同様にネットワーク２に接続している。
【００９９】
そして、本第３の実施の形態における振込カード発行システムは、現金自動預金支払機１Ａが振込カード４を発行した際、現金自動預金支払機１Ａに内蔵されたイメージセンサ６６を使い、振込カード４の印字内容を振込カード画像６として取得する。なお、イメージセンサ６６は、キャッシュカードの取引時に口座番号や氏名欄の記録を残すために、通常現金自動預金支払機１Ａに実装されている。
【０１００】
そして、取得した振込カード画像６を、キャッシュカードを利用した場合の利用者のキャッシュカード情報や振込カード４に関する情報と共に、画像記録サーバ３に送信してデータベースに記録しておく。この振込カード画像６には振込カード４の固有番号が振られて保管される。この固有番号は、画像記録サーバ３から現金自動預金支払機１Ａに送信され、振込カード４の識別のため、振込カード４の磁気ストライプ部に書き込まれる。
【０１０１】
これにより、現金自動預金支払機１Ｂで振込カード４を利用する際、振込カード４の改ざんの情報検索を容易にする。
次に、振込カード４を発行するための処理の流れを説明する。
【０１０２】
図１７は、第３の実施の形態において現金自動預金支払機１が実行する振込カード発行処理の流れを示すフローチャートである。
まず、ステップＳ１７０１において、図５のステップＳ５０１と同様に、「振込取引」を選択し、「カード振込」か「現金振込」かの何れかを選択する。
【０１０３】
「カード振込」が選択された場合は、画面表示部２５にキャッシュカードの挿入を促す画面を表示し、ステップＳ１７０２において、図５のステップＳ５０２と同様に、キャッシュカードがカード挿入部１１に挿入されると、ステップＳ１７０３において、図５のステップＳ５０３と同様に、キャッシュカードの磁気ストライプ部から口座番号を含む振込依頼人情報を読み取り、更に利用者に暗証番号と振込金額を入力させる。
【０１０４】
次に、ステップＳ１７０４において、図５のステップＳ５０４と同様の「振込取引処理」を実行する。
そして、このような「振込取引処理」が終了した後、ステップＳ１７０５において、図５のステップＳ５０５と同様に、上述の「振込取引処理」の内容を登録した振込カード４が必要か否かを利用者に選択させる。
【０１０５】
振込カード４が不要であることを利用者が選択した場合（ステップＳ１７０５：Ｎｏ）は、ステップＳ１７１１へ進む。他方、振込カード４が必要であることを選択した場合（ステップＳ１７０５：Ｙｅｓ）は、ステップＳ１７０６において、ステップＳ５０６と同様に、振込カード発行処理を行い、上述の「振込取引処理」の内容（振込カード発行情報）を登録した振込カード４を作成する。
【０１０６】
そして、ステップＳ１７０７において、その振込カード４の表面に所定の事項を印字し、ステップＳ１７０８において、イメージセンサ６６を用いて振込カード４の印字面を走査し、振込カード画像６として取得する。
【０１０７】
図１８は、第３の実施の形態における振込カード画像６の例を示す図である。
図１８に示したように、振込カード画像６は、振込カードであることを示すカード名称、振込先の口座番号等が印字されている振込カード４の表面の画像データである。
【０１０８】
図１７の説明に戻る。
ステップＳ１７０９において、ステップＳ１７０６で振込カード４に登録した振込カード発行情報と、ステップＳ１７０８で取得した利用者画像５を、互いに関連付けて金融機関のセンタ等に設けられている画像記録サーバ３へ送信する。
【０１０９】
図１９は、第３の実施の形態において画像記録サーバ３が実行する振込カード画像登録処理の流れを示すフローチャートである。
画像記録サーバ３は、まず、ステップＳ１９０１において、図１７のステップＳ１７０９で現金自動預金支払機１から送信された振込カード発行情報と振込カード画像６を受信する。そして、ステップＳ１９０２において、振込カード４を特定するために付与すべく、データベースに登録された振込カード発行情報に対応付けられた固有のコード、例えば固有の番号を生成する。
【０１１０】
次に、ステップＳ１９０３において、ステップＳ１９０１で受信した振込カード発行情報と振込カード画像６、およびステップＳ１９０２で生成したカード固有番号を互いに対応付けて、画像記録サーバ３が備えるデータベースに登録する。
【０１１１】
そして、ステップＳ１９０４において、ステップＳ１９０１で受信した振込カード発行情報等を送信してきた現金自動預金支払機１へ、カード固有番号を通知（返信）する。
【０１１２】
図１７の説明に戻る。
現金自動預金支払機１は、ステップＳ１７１０において、図１９のステップＳ１９０４で画像記録サーバ３から送信されたカード固有番号を受信し、ステップＳ１７０６で振込カード発行情報を登録した振込カード４の磁気ストライプ部に記録する。
【０１１３】
そして、ステップＳ１７１１において、振込カード４をカード挿入部１１から排出し、ステップＳ１７１２において、キャッシュカードをカード挿入部１１から排出（返却）する。
【０１１４】
次に、振込カード４を利用する際の処理の流れを説明する。
図２０は、第３の実施の形態において現金自動預金支払機１が実行する振込カード利用処理の流れを示すフローチャートである。
【０１１５】
まず、ステップＳ２００１において、図９のステップＳ９０１と同様に、「振込取引」を選択し、「カード振込」か「現金振込」かの何れかを選択する。
「カード振込」が選択された場合は、画面表示部２５にキャッシュカードの挿入を促す画面を表示し、そして、ステップＳ２００２において、図９のステップＳ９０２と同様に、キャッシュカードがカード挿入部１１に挿入されると、ステップＳ２００３において、図９のステップＳ９０３と同様に、キャッシュカードの磁気ストライプ部から口座番号を含む振込依頼人情報を読み取り、更に利用者に暗証番号と振込金額を入力させる。
【０１１６】
次に、ステップＳ２００４において、振込カード４を利用した振込みであるか否かを利用者に選択させる。
振込カード４を利用した振込みでない場合（ステップＳ２００４：Ｎｏ）は、通常の振込処理、例えば、図５に示したステップＳ５０４以降の処理を実行する。他方、振込カード４を利用した振込みの場合（ステップＳ２００４：Ｙｅｓ）は、画面表示部２５に振込カード４の挿入を促す画面を表示し、ステップＳ２００５において、振込カード４がカード挿入部１１に挿入されると、ステップＳ２００６において、振込カード４の磁気ストライプ部から振込カード発行情報とともにカード固有番号を読み取る。
【０１１７】
そして、ステップＳ２００７において、イメージセンサ６６を用いて振込カード４の印字面を走査し、振込カード画像６として取得する。
次に、ステップＳ２００８において、ステップＳ２００６で読み取ったカード固有番号が画像記録サーバ３に登録されているか否かを問い合わせるため、カード固有番号と取得した振込カード画像６を対応付けて画像記録サーバ３へ送信する。
【０１１８】
図２１は、第３の実施の形態において画像記録サーバ３が実行する振込カード画像検索処理の流れを示すフローチャートである。
画像記録サーバ３は、まず、ステップＳ２１０１において、図２０のステップＳ２００８で現金自動預金支払機１から送信されたカード固有番号と振込カード画像６を受信し、ステップＳ２１０２において、そのカード固有番号に基づいて対応する振込カード画像６がデータベースに登録されているか否かを検索する。
【０１１９】
そして、ステップＳ２１０３において、受信したカード固有番号に対応する振込カード画像６がデータベースに登録されているか否かを判断し、登録されていないと判断した場合（ステップＳ２１０３：Ｎｏ）は、ステップＳ２１０４において、「該当無し」の判断結果を示す。他方、カード固有番号がデータベースに登録されていると判断した場合（ステップＳ２１０３：Ｙｅｓ）は、ステップＳ２１０４において、ステップＳ２１０１で受信した振込カード画像６とステップＳ２１０２で検索されたカード固有番号に対応付けられた振込カード画像６とが一致しているか否かを比較する。
【０１２０】
そして、両振込カード画像６が一致していないと判断された場合（ステップＳ２１０４：Ｎｏ）は、ステップＳ２１０５において、「非同一判定」の判断結果を示し、他方、一致していると判断された場合（ステップＳ２１０４：Ｙｅｓ）は、ステップＳ２１０６において、「同一判定」の判断結果を示す。
【０１２１】
そして、ステップＳ２１０７において、ステップＳ２１０４、ステップＳ２１０５またはＳ２１０６の何れかで示した検索結果を、問い合わせてきた現金自動預金支払機１（１Ｂ）へ返信する。
【０１２２】
図２０の説明に戻る。
現金自動預金支払機１は、ステップＳ２００９において、図２１のステップＳ２１０７で画像記録サーバ３から送信された検索結果を受信し、その検索結果が同一判定でないことを示す結果であった場合、すなわち、図２１のステップＳ２１０５で「非同一判定」と示された検索結果であった場合、または図２１のステップＳ２１０４で「該当無し」と示された検索結果であった場合（ステップＳ２００９：Ｎｏ）は、ステップＳ２０１０において、ステップＳ２００５でカード挿入部１１に挿入された振込カード４は取り扱いができない旨を画面表示部２５に表示して、ステップＳ２０１６へ進む。
【０１２３】
他方、ステップＳ２００９で受信した検索結果が同一判定であることを示す結果であった場合、すなわち、図２１のステップＳ２１０６で「同一判定」と示された検索結果であった場合（ステップＳ２００９：Ｙｅｓ）は、ステップＳ２０１１において、振込カード４に登録されている振込先情報を画面表示部２５に表示する。そして、ステップＳ２０１２において、利用者に振込金額を入力させる。
【０１２４】
次に、ステップＳ２０１１で表示した振込先情報およびステップＳ２０１２で入力した振込金額が正しいか否かを確認させる旨を画面表示部２５に表示する。そして、何れかが正しくない場合（ステップＳ２０１３：Ｎｏ）は、正しくない旨をキー入力部２６から指示することにより、ステップＳ２０１４において、取引やり直しの案内を画面表示部２５に表示した上で、ステップＳ２０１６へ進む。
【０１２５】
他方、振込先情報および振込金額の何れもが正しい場合（ステップＳ２０１３：Ｙｅｓ）は、ステップＳ２０１５において、現金自動預金支払機１は、図５のステップＳ５０４と同様の「振込取引処理」を実行する。
【０１２６】
そして、ステップＳ２０１６において、振込カード４をカード挿入部１１から排出（返却）し、ステップＳ２０１７において、キャッシュカードをカード挿入部１１から排出（返却）する。
【０１２７】
これにより、振込カード４の印字面を細工することで利用者を騙すような詐欺手口に対する防御を行うことが出来る。
ここで、印字面の細工とは、例えば本来「振込カード」と書かれている部分を、「年金返金カード」あるいは「過払い税金返金カード」のように、本来は振込取引により利用者の口座から他の口座に振込処理を行っているにもかかわらず、利用者にお金が入ってくるような取引に見せかける意図を持った、言葉や意匠の変更を意味する。
【０１２８】
よって、図２１のステップ２１０４で画像が一致したとの判断は、振込カード４の名称として印字された「振込カード」と「振込カード」との比較結果であり、一致しないとの判断は、「振込カード」と「年金返金カード」あるいは「過払い税金返金カード」との比較結果である。
【０１２９】
以上、本発明を適用した第１乃至第３の実施の形態を実現するためのシステムは、以下のような振込カード発行システムである。
すなわち、振込カード発行システムは、ネットワーク２を介して互いに接続された現金自動預金支払機１と画像記録サーバ３とを備える。
【０１３０】
前記現金自動預金支払機１は、キー入力部２６から入力された振込依頼人情報、またはキャッシュカードから読み取った振込依頼人情報から一意に決まるセキュリティコードを生成する。また、入力された振込依頼人情報および入力された振込先口座情報を含む振込取引情報と、生成されたセキュリティコードとを記録した振込カード４を発行する。そして、発行された振込カード４が振込カードであることを表わすカード名称と前記振込取引情報とを前記振込カード４に印字する。
【０１３１】
また、利用者の画像（利用者画像５）、特に顔画像をカメラ２７で撮像することにより取得する。そして、カード名称と振込取引情報とが印字された振込カード４の画像（振込カード画像６）を取得する。
【０１３２】
さらに、生成されたセキュリティコード、取得された利用者画像５、および取得された振込カード画像６を振込取引情報と対応付けて、画像記録サーバ３へ送信する。
一方、前記画像記録サーバ３は、前記現金自動預金支払機１から送信された前記セキュリティコード、前記利用者画像５、前記振込カード画像６、および前記振込取引情報を受信する。そして、受信した前記振込取引情報に対応付けた固有のコードを生成する。
【０１３３】
また、受信した前記セキュリティコード、前記利用者画像５、前記振込カード画像６、および前記振込取引情報と生成されたカード固有コードを対応付けてデータベースに登録する。そして、生成されたカード固有コードを前記画像記録サーバ３へ通知する。
【０１３４】
また、前記現金自動預金支払機１は、前記画像記録サーバ３から通知された前記カード固有コードを受信する。そして、受信した前記カード固有コードを発行された前記振込カード４に記録する。
【０１３５】
さらに、前記現金自動預金支払機１は、前記振込カード４を用いた振込処理の実行に際して、前記振込カード４に記録されたセキュリティコードと、利用時のキャッシュカードから生成されたセキュリティコードとが一致した場合に、振込処理を実行し、一致しない場合には振込処理を実行しない。
【０１３６】
また、セキュリティコードは、前記振込依頼人情報の口座情報に基づいて生成する。
また、前記現金自動預金支払機１は、前記振込カード４を用いた振込処理の実行に際して、イメージセンサ６６で読み取る振込カード画像と前記データベースに登録された振込カード画像とが一致した場合に、振込処理を実行し、一致しない場合には振込処理を実行しない。
【０１３７】
また、前記画像記録サーバ３は、前記現金自動預金支払機１が前記振込カード４を用いた振込処理の実行に際して振込処理を実行しない場合、すなわち、振り込め詐欺の恐れがある場合、前記振込カード４に記録された振込依頼人情報に対応する利用者画像５を特定する。
【０１３８】
以上、本発明の各実施の形態を、図面を参照しながら説明してきたが、上述してきた本発明の各実施の形態は、現金自動預金支払機または画像記録サーバの一機能としてハードウェアまたはＤＳＰ（Digital Signal Processor）ボードやＣＰＵボードでのファームウェアもしくはソフトウェアにより実現することができる。
【０１３９】
また、本発明が適用される現金自動預金支払機または画像記録サーバは、その機能が実行されるのであれば、上述の各実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【０１４０】
また、バスに接続されたＣＰＵ、ＲＯＭやＲＡＭのメモリ、入力装置、出力装置、外部記録装置、媒体駆動装置、ネットワーク接続装置で構成されるシステムでも実現できる。すなわち、前述してきた各実施の形態のシステムを実現するソフトェアのプログラムを記録したＲＯＭやＲＡＭのメモリ、外部記録装置、可搬記録媒体を、現金自動預金支払機または画像記録サーバに供給し、その現金自動預金支払機または画像記録サーバのコンピュータがプログラムを読み出し実行することによっても、達成されることは言うまでもない。
【０１４１】
この場合、可搬記録媒体等から読み出されたプログラム自体が本発明の新規な機能を実現することになり、そのプログラムを記録した可搬記録媒体等は本発明を構成することになる。
【０１４２】
プログラムを供給するための可搬記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置（言い換えれば、通信回線）を介して記録した種々の記録媒体などを用いることができる。
【０１４３】
また、コンピュータ（情報処理装置）がメモリ上に読み出したプログラムを実行することによって、前述した各実施の形態の機能が実現される他、そのプログラムの指示に基づき、コンピュータ上で稼動しているＯＳなどが実際の処理の一部または全部を行ない、その処理によっても前述した各実施の形態の機能が実現される。
【０１４４】
さらに、可搬型記録媒体から読み出されたプログラムやプログラム（データ）提供者から提供されたプログラム（データ）が、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した各実施の形態の機能が実現され得る。
【０１４５】
すなわち、本発明は、以上に述べた各実施の形態に限定されるものではなく、本発明の要旨を逸脱しない範囲内で種々の構成または形状を取ることができる。
【符号の説明】
【０１４６】
１      現金自動預金支払機
２      ネットワーク
３      画像記録サーバ
４      振込カード
５      利用者画像
６      振込カード画像
１０    通帳挿入部
１１    カード挿入部
１２    硬貨入出金部
１３    紙幣入出金部
１４    表示入力部
２０    ＡＴＭ制御部
２１    主制御部
２２    メモリ
２３    ハードディスク
２４    ホスト通信制御部
２５    画面表示部
２６    キー入力部
２７    カメラ
２８    ＩＯ制御部
３０    紙幣処理ユニット
４０    硬貨処理ユニット
５０    通帳処理ユニット
６０    カード／レシート処理ユニット
６１    ＣＰＵ
６２    メモリ
６３    上位通信制御部
６４    内部センサ制御部
６５    カード処理部
６６    イメージセンサ
６７    レシート印字部
６８    振込カード発行部
【図１】
0005501756.tif 000002
【図２】
0005501756.tif 000003
【図３】
0005501756.tif 000004
【図５】
0005501756.tif 000005
【図６】
0005501756.tif 000006
【図８】
0005501756.tif 000007
【図９】
0005501756.tif 000008
【図１０】
0005501756.tif 000009
【図１１】
0005501756.tif 000010
【図１２】
0005501756.tif 000011
【図１３】
0005501756.tif 000012
【図１４】
0005501756.tif 000013
【図１５】
0005501756.tif 000014
【図１７】
0005501756.tif 000015
【図１８】
0005501756.tif 000016
【図１９】
0005501756.tif 000017
【図２０】
0005501756.tif 000018
【図２１】
0005501756.tif 000019
【図４】
0005501756.tif 000020
【図７】
0005501756.tif 000021
【図１６】
0005501756.tif 000022